(57)【要約】【課題】園芸植物の栽培管理に必要な情報を各植物毎に得られ、入手後の各植物毎の栽培管理が容易な園芸用ラベルおよび園芸管理システムを提供する。【解決手段】植物に添付され植物の園芸情報が書きこまれたＲＦＩＤタグ２を有する園芸用ラベル１と、ＲＦＩＤタグとの間で通信を行い園芸用ラベル１を備えた植物の園芸情報の書き込み、読み出しを行うリーダ／ライタ３と、園芸情報を記憶する記憶手段４と、通信網７を介して植物の園芸情報を記憶したサーバ８に接続し植物の園芸情報を読み込む販売データ読みこみ手段６とからなることを特徴とする。【選択図】図１
2006101739.tif 000002
【特許請求の範囲】
【請求項１】
植物に添付する園芸用ラベルにおいて、植物の販売者により認識できる植物の固有情報が書きこまれたＲＦＩＤタグを有することを特徴とする園芸用ラベル。
【請求項２】
植物に添付され植物の園芸情報が書きこまれたＲＦＩＤタグを有する園芸用ラベルと、ＲＦＩＤタグとの間で通信を行い園芸用ラベルを備えた植物の園芸情報の書き込み、読み出しを行うリーダ／ライタと、園芸情報を記憶する記憶手段と、通信網を介して植物の園芸情報を記憶したサーバに接続し植物の園芸情報を読み込む販売データ読みこみ手段とからなることを特徴とする園芸管理システム。
【請求項３】
植物の情報として販売以前の栽培情報を記憶したサーバと、植物を入手後の栽培情報と植物の栽培管理情報のデータベースとを追加記録した記憶手段と、さらに販売者の販売以前の栽培情報を読みこみ記憶する販売データ読みこみ手段と、販売データ読みこみ手段により得られた販売以前の栽培情報と入手後の栽培情報と栽培管理情報データベースとから、植物の栽培管理を適時促す栽培管理告知手段とを備えていることを特徴とする請求項２に記載の園芸管理システム。
【請求項４】
栽培管理が、植物の植え替えであって、植え替えの必要な植物と、植え替えに必要な鉢の種類および量と、植え込み材料の種類および量とを出力し栽培管理を適時促す栽培管理告知手段であることを特徴とする請求項３に記載の園芸管理システム。
【発明の詳細な説明】
【技術分野】
【０００１】
本発明は園芸用植物を管理する園芸管理システムに関するものである。
【背景技術】
【０００２】
一般に園芸では、草花、果樹などの植物を植木鉢を主とした入れ物に、植物に適した植え込み材料で植付け、栽培管理を行い、植物を育成し、花や果実などを楽しむものである。元来、園芸で楽しむ植物は、自然界で生育していたものであり、これを人間が住むような環境の下で栽培管理をし、環境変化を園芸管理で補い、楽しむものである。このため、植物に応じた植木鉢、植え込み材料が必要であり、時間が経ち、植え込み材料の劣化、植物の生育状況などに応じて植え替えなければならない。また、水遣り、肥料遣り、日光の当て具合、通風などの生育のための管理、また温度湿度などの生育環境の管理も必要である。特に蘭科植物は、熱帯降雨林に自生するものが多く一般の蘭は温室での管理が必要とされる。さらに蘭科植物は、その自生地に固有の気候の下で成長し、開花するものが多く、これを園芸管理で補うことは、かなり困難である。
【０００３】
多くの洋蘭趣味家、また洋蘭を生産栽培する洋蘭業者の、このような栽培管理として、いわゆる園芸用のラベルに栽培データの必要事項を記入し、それぞれの蘭を植えた入れ物や植え付け物（各種植木鉢、木枠、コルク板、ヘゴ板など）に挿入、あるいは添付して利用している。ラベルにはその挿入された蘭固有の栽培情報が記入されているが、また、園芸界では一般には、ラベルはその植物の名前を記載して利用することが多い。
【０００４】
このようにラベルは貴重なものであるが、長期間に渡って利用すると、記入している文字などの情報が水遣りや日光等の影響で、消えてしまう。一般には、園芸植物の植え替えなどの栽培管理は一年ごとに実施することが多く、ラベルの情報は数年は必要である。また、その情報量も増加し、ラベルでは書き込めず、ラベルを追加するなどの対応をしても、植木鉢に挿入する数には限度がある。
【０００５】
このような問題点を解決する手段として、本発明者はＲＦＩＤタグを有する園芸用ラぺルを提供した（特許文献３を参照）。これにより、洋蘭栽培の管理は、向上できる。しかし、一般に趣味家が洋蘭を洋蘭等の販売者から購入した場合、あるいは洋蘭を贈与などにより入手した場合、それまでの情報や入手後の栽培に関する情報は、一般的で簡単な管理情報しか得られない。従って入手した時点で、栽培管理の連続性が失われ、生育が止まるなどの障害が出やすい。特に、原種あるいは原種に近い交配種は、生育が自生地特有の気候に強く依存し、その障害が出やすい。また、その後の管理も、通常得られる栽培管理方法で管理するしかなく、原種を主とした植物固有の栽培管理に付いては、長い栽培の経験を要し、一般の園芸趣味家が高価な洋蘭の原種などを栽培するには、かなり困難である。
【０００６】
公知文献を以下に示す。
【特許文献１】特開２００３−２１００４６号公報
【特許文献２】特開２００３−２７１０５９号公報
【特許文献３】特願２００４−１３５４１２号
【発明の開示】
【発明が解決しようとする課題】
【０００７】
本発明は、以上のような問題を解決するものであり、園芸植物の栽培管理に必要な情報を各植物毎に得られ、入手後の各植物毎の栽培管理が容易な園芸用ラベルおよび園芸管理システムを提供することを課題とする。
【課題を解決するための手段】
【０００８】
本発明は、かかる課題に鑑みなされたもので、本発明の請求項１の発明は、植物に添付する園芸用ラベルにおいて、植物の販売者により認識できる植物の固有情報が書きこまれたＲＦＩＤタグを有することを特徴とする園芸用ラベルとしたものである。
【０００９】
本願の園芸用ラベルは、植物の販売者により認識できる植物の固有情報が書きこまれたＲＦＩＤタグを有する。植物を購入などして入手した趣味家が、このＲＦＩＤタグからリーダ／ライタを用いて植物の固有情報を読みこみ、これを販売者に伝えることによって、販売者のみが植物の固有情報から植物を特定できるので、販売者から入手以前の園芸情報が得られる。例えばこの植物の固有情報を通信網を介して販売者のサーバに送信し、販売者は植物の固有情報から植物を特定でき、その入手前の栽培データや、入手後の管理方法を返信し、購入者がその情報を得られるので、入手前後の栽培の連続性を保て、入手した植物の栽培管理が容易にできる園芸用ラベルである。
【００１０】
本発明の請求項２の発明は、植物に添付され植物の園芸情報が書きこまれたＲＦＩＤタグを有する園芸用ラベルと、ＲＦＩＤタグとの間で通信を行い園芸用ラベルを備えた植物の園芸情報の書き込み、読み出しを行うリーダ／ライタと、園芸情報を記憶する記憶手段と、通信網を介して植物の園芸情報を記憶したサーバに接続し植物の園芸情報を読み込む販売データ読みこみ手段とからなることを特徴とする園芸管理システムとしたものである。
【００１１】
ここで、園芸情報としては、植物に関しての販売者の販売管理情報、栽培管理情報、栽培情報を例示できる。販売者の販売管理情報は販売の管理に必要な情報で、植物の管理番号、名称、価格などである。栽培管理情報としては、栽培するのに必要な管理情報で、植え替えに必要な年数、肥料やりの時期、水遣り開始の時期、暖房の必要な時期、遮光の必要な時期、栽培に使用できる各種植木鉢、そのサイズなどである。栽培情報としては、植物を入手したときや栽培管理をしたときの植物の状況を示すデータで、植物の植え替えた時期、株分け数、植えた鉢サイズ、開花数、開花時期、肥料やりした時期などで、便宜上、植物の入手年月日、入手先、購入金額を含む場合もある。
【００１２】
販売者とは、販売された植物の園芸情報をサーバに書き込む者を指す。したがって、必ずしも店舗等で販売した者を意味せず、植物の生産栽培業者も含まれる。情報が容易に得られることから、生産栽培業者であることが好ましい。
【００１３】
本発明の園芸管理システムは、予め植物の販売者がＲＦＩＤタグに植物の園芸情報として少なくとも植物を特定できる販売管理情報を書き込みしておき、植物を入手した趣味家が植物を入手後、植物に添付されたＲＦＩＤタグを有する園芸用ラベルから、リーダ／ライタで園芸情報を読みこみ、記憶手段に記憶する。趣味家が、販売管理情報を用いて販売データ読みこみ手段を利用し、通信網を介して植物の園芸情報を記憶した販売者のサーバに接続し植物の少なくとも入手前の園芸情報を読み込むことができる。また趣味家が、入手後の園芸情報をリーダ／ライタを用いて、ＲＦＩＤタグや記憶手段に記憶できるので、栽培前の園芸情報と入手後の園芸情報から、入手前後の連続性を保て、栽培管理が容易に出来る。
【００１４】
本発明の請求項３の発明は、植物の情報として販売以前の栽培情報を記憶したサーバと、植物を入手後の栽培情報と植物の栽培管理情報のデータベースとを追加記録した記憶手
段と、さらに販売者の販売以前の栽培情報を読みこみ記憶する販売データ読みこみ手段と、販売データ読みこみ手段により得られた販売以前の栽培情報と入手後の栽培情報と栽培管理情報データベースとから、植物の栽培管理を適時促す栽培管理告知手段とを備えていることを特徴とする請求項２に記載の園芸管理システムとしたものである。
【００１５】
本発明の園芸システムは、記憶手段には植物を入手後の栽培情報と植物の栽培管理情報データベースとを追加記録し、さらに植物の情報として販売以前の栽培情報を記憶した販売者のサーバから、販売者の販売以前の栽培情報を販売データ読みこみ手段で読みこみ記憶し、販売以前の栽培情報と入手後の栽培情報と栽培管理情報データベースとから、植物の栽培管理を適時促す栽培管理告知手段で植物の栽培管理を適時促すことができるので、入手前後の栽培の連続性を保て、入手した植物の栽培管理が容易である。
【００１６】
本発明の請求項４の発明は、栽培管理が、植物の植え替えであって、植え替えの必要な植物と、植え替えに必要な鉢の種類および量と、植え込み材料の種類および量とを出力し栽培管理を適時促す栽培管理告知手段であることを特徴とする請求項３に記載の園芸管理システムとしたものである。
【００１７】
本発明の園芸システムは、栽培管理が、植物の植え替えであって、植え替えの必要な植物と、植え替えに必要な鉢の種類および量と、植え込み材料の種類および量とを栽培管理告知手段で出力されるので、入手前後の連続性を保て、植え替えの管理が容易な園芸用ラベルおよび園芸管理システムである。
【発明の効果】
【００１８】
本願は以上のような構成であるから、園芸植物の栽培管理に必要な入手前及びその後の情報を各植物毎に得られ、必要な情報を各植物毎に長期にわたり保存でき、植物入手後の栽培管理が容易に出来る園芸用ラベルおよび園芸管理システムとすることができる。
【発明を実施するための最良の形態】
【００１９】
以下本発明を実施するための最良の形態につき説明する。
【００２０】
本願発明の園芸用ラベルはＲＦＩＤタグを有する。ＲＦＩＤタグは従来のラベルに貼りつけても良いし、ラベルに穴を開けるなどして、紐などで添付しても良い。タグを貼りつけたラベルには片面もしくはタグの貼りつけていない部分に、植物の名称などを記入できる。ラベルは鉢内に挿入しても良いが、植物本体に添付しても良い。特にコルクや木枠への植付けなど、植え付けた資材に添付しにくい場合、植物本体に添付しても良い。ＲＦＩＤタグにはそのリーダ／ライタにより植物の名称や、植物の栽培の情報等の園芸情報を記載できる。情報データは上記に例示した。ただし、これら全部あるいは一部をリーダ／ライタ側で記憶手段に記憶しても良い。このようにすることにより、ラベルに記入した情報が消えても、ＲＦＩＤからリーダ／ライタで簡単に読め、すぐに回復できる。したがって、園芸植物の栽培に必要な情報を全て各植物毎に記載でき、情報の保持が長期にわたり保存できる。
【００２１】
また、例えば植物の生産栽培業者においては、ラベルには販売管理情報を記載する。園芸店名などの植物に固有ではない情報、また植物を特定するためのコード化した記号を記入しておき、植物の固有の情報はＲＦＩＤタグまたはリーダ／ライタに記載する。このようにしておけば、その植物についての名称などの情報がその場では第三者に解らないので、その価値の有無が解らなくなり、盗難から植物を保護できる。ただ、この場合、前記の固有情報は、リーダ／ライタなどに記載し、ＲＦＩＤタグには記載しないほうが好ましい。また顧客などにより、その情報が必要な場合には、店でリーダ／ライタを貸与し、簡単に読める。植物の固有のデータは通信網に接続されたサーバに記憶しても良い。特に植物
が販売されたときには、前記のコード化した記号やその固有のデータはサーバに記憶するようにする。さらに原種などのように、特にその植物固有の栽培管理方法があれは、それも販売後はサーバーに記憶するようにする。このようにして販売後に、通信網を介して、植物を特定するためのコード化した記号を利用し、固有のデータを植物を入手した趣味家に提供することができる。
【００２２】
図１は本願発明の園芸管理システムの例を模式的に示した説明図である。植物の園芸情報が書きこまれたＲＦＩＤタグ２を有する園芸用ラベル１と、ＲＦＩＤタグ２と通信を行い園芸用ラベル１を備えた植物の園芸情報の書き込み、読み出しを行うリーダ／ライタ３と、園芸情報を記憶する記憶手段４と、通信網７を介して接続される植物の販売者のサーバに接続し植物の園芸情報を読み込む販売データ読みこみ手段６と、植物の栽培管理を適時促す栽培管理告知手段５とからなる園芸管理システムである。記憶手段４は、ＲＦＩＤタグ２やリーダ／ライタ３に設けても良いが、別途記憶装置に設け、リーダ／ライタ３に例えば脱着可能に接続できる様にしても良い。このようなシステムで、上記のような植物の名称、植物の園芸情報を記憶手段４に記憶しておく。また、例えば開花など、植物自体に変化があったとき、更に肥料やりをした時期など、栽培管理を実施したその場でこのようなその植物の栽培情報をＲＦＩＤ２とリーダ／ライタ３とを利用し記憶手段４に記憶できる。また栽培管理者は、そのような情報をリーダ／ライタ３からその場で知ることが出来るから、次ぎの肥料やり、植え替えの時期などを簡単に知ることができる。さらに、通信網７を介して販売データ読みこみ手段６で植物の販売者のサーバ８と接続できる。この場合、リーダ／ライタ３に直接接続して良いが、接続用のコンピュータを別途設けてリーダ／ライタ及び通信網と接続しても良い。また、さらに植物の栽培管理を適時促す栽培管理告知手段５も接続用のコンピュータに設けたほうが良い。
【００２３】
販売業者のサーバ８には、販売した植物毎に、その固有のコードと、販売前の過去の栽培履歴や、販売後の植物に固有な栽培方法等、その植物の園芸情報を記憶させておく。この情報を栽培管理者が入手でき、入手前の園芸情報を記憶手段に記憶しておく。
【００２４】
また、植物を購入などして入手した趣味家が通信網から販売した植物の過去の履歴等園芸情報を問い合わせてきた場合、販売業者はその購入者の個人情報と、ラベルに記入したコードを入力させる様にするようにしてもよい。その後、そのコードで指定される情報を開示する。このようにすることによって、どの趣味家がどのような植物を購入したかが蓄積されてくるので、植物に対する趣味家の傾向がわかり、たとえば販売促進にしても、個人の好みに応じた販促が可能となり、効率のよい販売促進が出来る。販促の内容としては、新しい植物の入荷情報、植物の展示会情報、植物の見学会案内などを例示できる。
【００２５】
園芸植物の栽培管理は、植え替えや水遣り、肥料やり、通風、温度、湿度、遮光などが具体的な管理項目である。特に洋蘭栽培では、温室栽培が主流であり、通風、温度、湿度、遮光などの管理は、個別の植物管理ではなく、主に一括管理となる。そこで、特に個別管理項目である植え替えについて本発明のシステムの実施の形態例を説明する。
【００２６】
図２は、本システムの実施の形態例のフローチャートである。植物を入手したら、園芸用ラベル１に販売業者により記載された植物固有のコード等の、植物を特定するデータを利用し、リーダ／ライタ３や通信網用のコンピュータより通信網７を経由し、販売業者のサーバ８に記録されたホームページ等から、植物の入手前の栽培情報を入手しておく。
【００２７】
本願の園芸管理システムの例では、すでに趣味家により栽培されている植物に付いては、個々の植物の栽培データを、上記の様に、ＲＦＩＤタグ２を有する園芸用ラベル１と、ＲＦＩＤタグ２と、リーダ／ライタ３と、記憶手段４とで栽培データベース４１に記録しておく。そして、植物の栽培を管理するデータベース４２を記憶手段４に記録しておき、
植物の栽培データベース４１と栽培管理データベース４２とから、植物の栽培管理を適時促す栽培管理告知手段５を備えた園芸管理システムである。
【００２８】
植物を入手した場合は、販売データ読みこみ手段６により、個々の植物の入手前の園芸情報を、通信網７を介して植物の販売者のサーバ８に接続し、読み込み、栽培情報を栽培データベース４１に、栽培管理情報を栽培を管理するデータベース４２に記憶する（Ｓ１）。入手できない場合は、その植物の入手したときの状況から判断できる園芸情報を各データベースに記憶する（Ｓ１）。例えば、今月に代表的な洋蘭であるカトレヤ属の植え替えを実施したい場合、システムで、植え替え実施の選択を行う（Ｓ２）。次に実施したい時期、実施したい植物の属名を入力する（Ｓ３）。ここでは、時期を今月として、カトレヤ属を入力する。これからシステムでは、記憶手段に記載された栽培データベース４１から対象植物の栽培データを抽出する（Ｓ３）。この場合、各カトレアのデータを栽培データベース４１から抽出する。次に抽出した対象植物の栽培管理データを抽出する（Ｓ４）。この場合は、各カトレヤの植え替えの必要な年数、植え替え鉢の種類、サイズ、それに応じた植え込み材料の種類と単位量（鉢サイズ当たりの量）などが個々の植物毎に抽出される。さらに栽培データベースから得られた過去の植え替えた時期と、管理データベースから得られた植え替えの必要な年数から、今月に植え替える必要なカトレヤのみを最終抽出する。つぎに、抽出された個々の栽培データ及び栽培管理データから、植え替えの必要な植物の数量、必要な植木鉢の種類ごとにその量、必要な植え込み材料の種類ごとの量などを栽培告知手段により算出する（Ｓ６）。その結果をさらに栽培管理告知手段５で情報出力する（Ｓ７）。このような管理の結果、あらかじめ、植え替えに必要な植木鉢、植え込み材料、対象となる植物を手配し、植え替えを実施するので、入手前後の栽培の連続性を保て、容易に効率良く実施できる。
【００２９】
このほかにも、肥料を与える管理として利用することも例示出来る。各植物毎に肥料の種類、量、肥料を与えた時期等を本願のラベルやリーダ／ライタを利用し栽培データとして記憶しておく。また、栽培管理データとして各種の肥料の有効期間、肥料やり（肥料を与える）開始の時期、肥料やり終了の時期（一般に洋蘭では、生育の開始時期から成熟時期までが肥料の必要に時期）などを登録しておく。植物を入手した時点では、上記のようにして園芸情報を得られる場合、販売者のサーバから読みこみ、上記データベースに記憶しておく。これから、本システムである時点での肥料を与える植物の選定、量を簡単に知ることが出来、入手前後の栽培の連続性を保て、容易に効率良く肥料やりを実施できる。
【００３０】
なおデータ量がさらに大きくなる場合は、例えば別途システムおよび記憶手段を設け、データを書き込み、コピー、またはダウンロード等してそのシステムを用い、管理しても良い。
【図面の簡単な説明】
【００３１】
【図１】本願発明の園芸管理システムの例を模式的に示した説明図である。
【図２】本願発明の園芸管理システムの例を用いて植え替えの管理を実施する例のフローチャートである。
【符号の説明】
【００３２】
１・・・園芸用ラベル
２・・・ＲＦＩＤタグ
３・・・リーダ／ライタ
４・・・記憶手段
４１・・・栽培データベース
４２・・・栽培管理データベース
５・・・栽培告知手段
６・・・販売データ読みこみ手段
７・・・通信網
８・・・販売者のサーバ
【図１】
2006101739.tif 000003
【図２】
2006101739.tif 000004